(57)【要約】【課題】  アプリケーションプログラムの記録による記録容量の圧迫をすることなしに、文書を電子媒体に記録できるようにする。【解決手段】  コンピュータ用の基本ソフトであるオペレーティングシステム２上で動作し、可搬型記録媒体を記録再生する記録再生ドライブ装置４を制御するデバイスドライバ３であって、アプリケーションプログラムから文書の印刷命令を受け取る機能と、前記印刷命令の対象となった文書を特定のデータフォーマットに変換する機能と、前記特定のデータフォーマットを再生する再生プログラムが既に前記可搬型記録媒体に存在するか否かを判別する機能と、前記判別機能において前記再生プログラムが前記可搬型記録媒体に存在しないと判断された場合には、前記再生プログラムを前記可搬型記録媒体に記録することを前記記録再生ドライブ装置に命令する機能と、前記特定のデータフォーマットに変換された文書を前記可搬型記録媒体に記録することを前記記録再生ドライブ装置に命令する機能とを備えた。【選択図】        図１
2005063073.tif 000002
【特許請求の範囲】
【請求項１】
情報記録媒体に情報を記録又は情報記録媒体から情報を再生する記録再生ドライブ装置を接続可能な上位装置のコンピュータに、
アプリケーションプログラムから文書の印刷命令を受け取る機能と、
前記印刷命令の対象となった文書を特定のデータフォーマットに変換する機能と、
前記特定のデータフォーマットを再生する再生プログラムが既に前記情報記録媒
体に存在するか否かを判別する機能と、
前記判別機能において前記再生プログラムが前記情報記録媒体に存在しないと判断された場合には、前記再生プログラムを前記情報記録媒体に記録することを前記記録再生ドライブ装置に命令する機能と、
前記特定のデータフォーマットに変換された文書を前記情報記録媒体に記録することを前記記録再生ドライブ装置に命令する機能と、
を実現させることを特徴とするデバイスドライバ。
【請求項２】
可搬型記録媒体を記録再生する記録再生ドライブ装置を制御する記録再生方法であって、
アプリケーションプログラムから文書の印刷命令を受け取る第１のステップと、
前記印刷命令の対象となった文書を特定のデータフォーマットに変換する第２のステップと、
前記特定のデータフォーマットを再生する再生プログラムが既に前記可搬型記録媒体に存在するか否かを判別する第３のステップと、
前記第３のステップにおいて前記再生プログラムが前記可搬型記録媒体に存在しないと判断された場合には、前記再生プログラムを前記可搬型記録媒体に記録することを前記記録再生ドライブ装置に命令する第４のステップと、
前記特定のデータフォーマットに変換された文書を前記可搬型記録媒体に記録することを前記記録再生ドライブ装置に命令する第５のステップと、
を有することを特徴とする記録再生方法。
【請求項３】
読み取り専用領域と書き込み専用領域が存在する可搬型記録媒体であって、前記読取専用領域に請求項１のデバイスドライバプログラムが予め記録されていることを特徴とする可搬型記録媒体。
【発明の詳細な説明】
【技術分野】
【０００１】
本発明は、光磁気ディスク、ＣＤ−Ｒ／ＲＷ、ＤＶＤ−Ｒ／ＲＡＭ／ＲＷ、ＤＶＤ＋Ｒ／ＲＷ等の機械読み取り可能な可搬型記録媒体（電子媒体と記す）への情報記録技術および当該電子媒体からの情報再生技術に関する。
【背景技術】
【０００２】
近年、環境資源保護のために省紙化が進められていること、またコンピュータ上で動作するアプリケーションが扱う文書に、文字情報だけではなく、音、静止画、動画の情報までもが含まれるようになったことなどにより、情報を紙媒体に記録（印刷）する代わりに、電子媒体に様々な種類の情報（データ）が記録（保存）されるようになってきた。
しかし、紙媒体は記録されている内容をどこでも読むことができるという完全な可搬性があるのに対し、電子媒体では文書に応じたアプリケーションプログラムが存在しているシステム環境でしか、データを再生できないため、電子媒体が紙媒体の代わりになりきれないでいるのが現状である。
たとえば、特定のワープロソフト独自のフォーマットで作成された文書は、当該特定のワープロソフトがインストールされているコンピュータがなければ、文書内容をモニタに表示して読むことも、プリンタで印刷することもできない。
当該問題点を解決するために提案されたのが、例えば、特許文献１記載の技術である。当該公報記載の技術では、印刷命令の対象として受け取った文書に含まれるデータの種類に応じた再生用プログラムを、当該文書データとともに電子媒体に記録することで、データの可搬性を確保している。
【特許文献１】特開２００２−４１５０５公報
【発明の開示】
【発明が解決しようとする課題】
【０００３】
しかしながら、上記従来技術においては、電子媒体に記録されるデータの種類が増えるに伴って、記録される再生用プログラムの種類も増えていく。このことは、近年のアプリケーションプログラム自身の肥大化傾向を考えると、記録容量の圧迫という問題点ともなり得る。
当該問題点に鑑み、本発明は、文書を作成したアプリケーションが存在しないシステム環境においても当該文書を再生できるように、アプリケーションプログラムの記録による記録容量の圧迫をすることなしに、当該文書を電子媒体に記録でき、しかも電子媒体への文書の記録を、文書を印刷するのと同じ操作で行うことができるようにすることを目的とする。
【課題を解決するための手段】
【０００４】
前記目的を達成するために、請求項１記載の発明は、情報記録媒体に情報を記録又は情報記録媒体から情報を再生する記録再生ドライブ装置を接続可能な上位装置のコンピュータに、アプリケーションプログラムから文書の印刷命令を受け取る機能と、前記印刷命令の対象となった文書を特定のデータフォーマットに変換する機能と、前記特定のデータフォーマットを再生する再生プログラムが既に前記情報記録媒体に存在するか否かを判別する機能と、前記判別機能において前記再生プログラムが前記情報記録媒体に存在しないと判断された場合には、前記再生プログラムを前記情報記録媒体に記録することを前記記録再生ドライブ装置に命令する機能と、前記特定のデータフォーマットに変換された文書を前記情報記録媒体に記録することを前記記録再生ドライブ装置に命令する機能と、を実現させることを特徴とする。
請求項２記載の発明は、可搬型記録媒体を記録再生する記録再生ドライブ装置を制御する記録再生方法であって、アプリケーションプログラムから文書の印刷命令を受け取る第１のステップと、前記印刷命令の対象となった文書を特定のデータフォーマットに変換する第２のステップと、前記特定のデータフォーマットを再生する再生プログラムが既に前記可搬型記録媒体に存在するか否かを判別する第３のステップと、前記第３のステップにおいて前記再生プログラムが前記可搬型記録媒体に存在しないと判断された場合には、前記再生プログラムを前記可搬型記録媒体に記録することを前記記録再生ドライブ装置に命令する第４のステップと、前記特定のデータフォーマットに変換された文書を前記可搬型記録媒体に記録することを前記記録再生ドライブ装置に命令する第５のステップとを有する記録再生方法を最も主要な特徴とする。
請求項３記載の発明は、読み取り専用領域と書き込み専用領域が存在する可搬型記録媒体であって、前記読取専用領域に請求項１のデバイスドライバプログラムが予め記録されている可搬型記録媒体を最も主要な特徴とする。
【発明の効果】
【０００５】
請求項１のデバイスドライバ（プログラム）、請求項２の記録方法では、印刷対象文書を常に一種類の特定フォーマットの文書に変換して可搬型記録媒体に記録するので、当該可搬型記録媒体上のデータを再生するためには、前記特定フォーマット再生可能な再生プログラムが一種類、当該可搬型記録媒体上に存在すれば良いことになり、可搬型記録媒体の記録容量を有効に活用できる。
請求項３の可搬型記録媒体は、可搬型記録媒体製造時に既に、請求項１のプログラムと前記特定フォーマット再生プログラムが、読み取り専用領域に記録されるので、ユーザー環境での文書印刷（記録）時には、常に文書のみの印刷だけが実行され、印刷（記録）時間の短縮ができる。
【発明を実施するための最良の形態】
【０００６】
以下、本発明の実施の形態について図面を参照して説明する。
図１は本発明の実施の形態に係る記録再生システムの構成図である。パーソナルコンピュータ、ワークステーションなどのホスト装置１０上で、オペレーティングシステム２が基本ソフトウェアとして動作しており、アプリケーションプログラム（以下、単にアプリケーションと記す）１はオペレーティングシステム２上で文書を作成し、デバイスドライバ３はＣＤ−ＲＷドライブ装置４に対するデータの書き込み／読み込みを制御する。デバイスドライバ３は、プリンタドライバとしてオペレーティングシステム２に認識されている。
そして、デバイスドライバ３は、アプリケーション１からの文書の印刷命令を受け取る機能と、印刷命令の対象となった文書を特定のフォーマットに変換する機能と、当該特定のフォーマットの文書を再生する再生プログラムが既にＣＤ−ＲＷドライブ装置４に挿入されているＣＤ−ＲＷディスク上に存在しているか否かの判別機能と、前記再生プログラムをＣＤ−ＲＷディスクに書き込むようにＣＤ−ＲＷドライブ装置４に命令する機能と、前記特定のフォーマットに変換された文書をＣＤ−ＲＷディスクに書き込むようにＣＤ−ＲＷドライブ装置４に命令する機能とを有する。
【０００７】
図２は本発明の実施の形態に係る記録再生方法のフローチャートである。尚、各ステップの処理はホスト装置に格納された各プログラム（Ｓ１：アプリケーションプログラム１、Ｓ２：オペレーションシステム２、Ｓ３〜Ｓ５：デバイスドライバ３、Ｓ７、８：オペレーションシステム２）に従って、ホスト装置１０内のＣＰＵ（図示せず）が実行する処理である。たとえばワープロソフトなどのアプリケーション１からオペレーティングシステム２に対して、ＣＤ−ＲＷドライブ装置４を出力先に指定した文書の印刷命令が発行されると（Ｓ１でＹｅｓ）、オペレーティングシステム２は、デバイスドライバ３に対して、文書の印刷命令を発行する（Ｓ２）。
文書の印刷命令を受けたデバイスドライバ３は、印刷対象の文書をある特定フォーマットの文書に変換する（Ｓ３）。続いてデバイスドライバ３は、ＣＤ−ＲＷドライブ装置４に挿入されているＣＤ−ＲＷディスクのデータを読み取り、当該ＣＤ−ＲＷディスク上のデータに、前記特定フォーマットの文書を再生する特定フォーマット用再生プログラムが存在するか否かを判別する（Ｓ４）。
Ｓ４でＹｅｓ、つまり、前記再生プログラムが既にＣＤ−ＲＷディスク上に存在する場合は、前記特定フォーマットに変換された文書のみをＣＤ−ＲＷディスクに記録するように、ＣＤ−ＲＷドライブ装置４に命令を発行し（Ｓ６）、Ｓ４でＮｏ、つまり前記再生プログラムがＣＤ−ＲＷディスク上に存在しなかった場合は、前記特定フォーマットに変換された文書と当該再生プログラム自身も一緒にＣＤ−ＲＷディスクに記録するように、ＣＤ−ＲＷドライブ装置４に命令を発行する（Ｓ５）。
なお、アプリケーション１からオペレーティングシステム２に対して、ＣＤ−ＲＷドライブ装置４を出力先に指定した文書の印刷命令が発行されなければ（Ｓ１でＮｏ）、オペレーティングシステム２は別の処理命令かどうか判断し（Ｓ７）、別の処理命令であれば（Ｓ７でＹｅｓ）、当該処理命令に従った処理を実行する（Ｓ８）。
【０００８】
図３は本発明の実施の形態に係るハイブリッドＣＤ−Ｒディスクを示す図である。ハイブリッドＣＤ−Ｒディスク２０には、読み取り専用領域５と、書き込み可能領域６が存在する。読み取り専用領域５には、当該ハイブリッドＣＤ−Ｒディスク２０の製造時に予め、デバイスドライブ３と前記特定フォーマット用再生プログラムが記録されている。
これにより、当該ハイブリッドＣＤ−Ｒディスク２０からデバイスドライバ３がインストールされた環境で、当該ハイブリッドＣＤ−Ｒディスク２０に文書を印刷（記録）する場合は、必ず図２のＳ４でＮｏと判定され、実際の記録データは印刷対象の文書のみとなる。
【図面の簡単な説明】
【０００９】
【図１】本発明の実施の形態に係る記録再生システムの構成図。
【図２】本発明の実施の形態に係る記録再生方法のフローチャート。
【図３】本発明の実施の形態に係るハイブリッドＣＤ−Ｒディスクを示す図。
【符号の説明】
【００１０】
１  アプリケーション
２  オペレーティングシステム
３  デバイスドライバ
４  ＣＤ−ＲＷドライブ装置
１０  ホスト装置
【図１】
2005063073.tif 000003
【図２】
2005063073.tif 000004
【図３】
2005063073.tif 000005